(57)【要約】【課題】利便性良好にソフトウェア情報を更新する。【解決手段】放送受信機１は、１のデジタル放送を受信する受信部１１Ａと、ソフトウェアを更新する旨の指示情報である更新指示信号を受信する制御信号受信部１１Ｂと、受信部１１Ａによって受信された１のデジタル放送に対応する映像をディスプレイ１５に表示する表示制御部１６３と、制御信号受信部１１Ｂによって更新指示信号が受信された場合に、ソフトウェア情報を受信してインストールするか否かの判定を行う第１判定部１６１と、を備え、放送受信機１に装着されたＩＣカード２は、第１判定部１６１によってインストールすると判定された場合に、表示制御部１６３に対して映像表示処理を停止させると共に、受信部１１Ａを介してソフトウェア情報を取得して、取得されたソフトウェア情報をインストールする更新実行部２１１を備えている。【選択図】図２
2008199243.tif 000002
【特許請求の範囲】
【請求項１】
デジタル放送を受信し、外部から視認可能にモニタに出力可能に構成されると共に、デジタル放送を介してファームウェア情報を受信してインストール可能に構成されたデジタル放送受信装置であって、
１のデジタル放送を受信する第１受信手段と、
ファームウェアを更新する旨の指示情報である更新指示信号を受信する第２受信手段と、
前記第１受信手段によって受信された１のデジタル放送に対応する映像をモニタに表示する処理である映像表示処理を行う表示制御手段と、
暗号化されたデジタル放送を復号化するファームウェア情報を格納する復号化情報記憶手段と、
前記第１受信手段によって暗号化されたデジタル放送が受信された場合に、前記復号化情報記憶手段に格納されたファームウェアを介して、受信された暗号化されたデジタル放送を復号化する復号化手段と、
前記第２受信手段によって更新指示信号が受信された場合に、外部からの操作入力を受け付け、受け付けられた操作入力に基づいて、ファームウェア情報を受信してインストールするか否かの判定を行う第１判定手段と、
前記第１判定手段によってインストールしないと判定された場合に、前記表示制御手段によって前記映像表示処理が行われているか否かを判定する第２判定手段と、
前記第１判定手段によってインストールすると判定された場合に、前記表示制御手段に対して映像表示処理を停止させ、前記第１受信手段を介してファームウェア情報を取得して、取得されたファームウェア情報をインストールすると共に、前記第２判定手段によって映像表示処理が行われていないと判定された場合に、前記第１受信手段を介してファームウェア情報を取得して、取得されたファームウェア情報をインストールする更新実行手段と、
ＩＣカードが着脱自在に構成され、装着されたＩＣカードとの通信を行う通信手段と、
を備え、
前記更新実行手段、復号化情報記憶手段及び復号化手段は、前記通信手段に装着されたＩＣカード内に形成され、
前記第１受信手段及び第２受信手段は、ケーブルを介して情報を受信し、
前記第２受信手段は、放送信号の周波数帯域とは異なる予め設定された特定の周波数帯域を介して、更新指示信号を受信し、
前記表示制御手段は、前記第１受信手段によって暗号化されたデジタル放送が受信された場合に、前記復号化手段によって復号化されたデジタル放送に対応する映像をモニタに表示すると共に、前記第２受信手段によって更新指示信号が受信された場合に、ファームウェア情報を受信してインストールするか否かの操作入力を促すガイダンス情報をモニタに表示し、
前記第１判定手段は、外部からの操作入力を受け付け、受け付けられた操作入力に基づいて判定を行うことを特徴とするデジタル放送受信装置。
【請求項２】
デジタル放送を受信し、外部から視認可能にモニタに出力可能に構成されると共に、デジタル放送を介してソフトウェア情報を受信してインストール可能に構成されたデジタル放送受信装置であって、
１のデジタル放送を受信する第１受信手段と、
ソフトウェアを更新する旨の指示情報である更新指示信号を受信する第２受信手段と、
前記第１受信手段によって受信された１のデジタル放送に対応する映像をモニタに表示する処理である映像表示処理を行う表示制御手段と、
前記第２受信手段によって更新指示信号が受信された場合に、ソフトウェア情報を受信してインストールするか否かの判定を行う第１判定手段と、
前記第１判定手段によってインストールすると判定された場合に、前記表示制御手段に対して映像表示処理を停止させると共に、前記第１受信手段を介してソフトウェア情報を取得して、取得されたソフトウェア情報をインストールする更新実行手段と、
を備えることを特徴とするデジタル放送受信装置。
【請求項３】
前記表示制御手段は、前記第２受信手段によって更新指示信号が受信された場合に、ソフトウェア情報を受信してインストールするか否かの操作入力を促すガイダンス情報をモニタに表示し、
前記第１判定手段は、外部からの操作入力を受け付け、受け付けられた操作入力に基づいて判定を行うことを特徴とする請求項２に記載のデジタル放送受信装置。
【請求項４】
前記第１判定手段によってインストールしないと判定された場合に、前記表示制御手段によって前記映像表示処理が行われているか否かを判定する第２判定手段を備え、
前記更新実行手段は、前記第２判定手段によって映像表示処理が行われていないと判定された場合に、前記第１受信手段を介してソフトウェア情報を取得して、取得されたソフトウェア情報をインストールすることを特徴とする請求項２又は請求項３に記載のデジタル放送受信装置。
【請求項５】
暗号化されたデジタル放送を復号化するファームウェア情報を格納する復号化情報記憶手段と、
前記第１受信手段によって暗号化されたデジタル放送が受信された場合に、前記復号化情報記憶手段に格納されたファームウェアを介して、受信された暗号化されたデジタル放送を復号化する復号化手段と、
を備え、
前記表示制御手段は、前記第１受信手段によって暗号化されたデジタル放送が受信された場合に、前記復号化手段によって復号化されたデジタル放送に対応する映像をモニタに表示し、
前記ソフトウェア情報は、前記復号化情報記憶手段に格納されたファームウェア情報であることを特徴とする請求項２〜請求項４のいずれかに記載のデジタル放送受信装置。
【請求項６】
ＩＣカードが着脱自在に構成され、装着されたＩＣカードとの通信を行う通信手段を備え、
前記更新実行手段、復号化情報記憶手段及び復号化手段は、前記通信手段に装着されたＩＣカード内に形成されていることを特徴とする請求項５に記載のデジタル放送受信装置。
【請求項７】
前記第１受信手段及び第２受信手段は、ケーブルを介して情報を受信し、
前記第２受信手段は、放送信号の周波数帯域とは異なる予め設定された特定の周波数帯域を介して、更新指示信号を受信することを特徴とする請求項２〜請求項６のいずれかに記載のデジタル放送受信装置。
【発明の詳細な説明】
【技術分野】
【０００１】
本発明は、デジタル放送を受信し、外部から視認可能にモニタに出力可能に構成されると共に、デジタル放送を介してソフトウェア情報を受信してインストール可能に構成されたデジタル放送受信装置に関する。
【背景技術】
【０００２】
近年、デジタル放送の普及に伴い、放送局と視聴者との間における双方向通信も可能となり、番組毎に課金する有料放送も可能となった。有料放送を行う放送システムにおいては、視聴者を識別して視聴が許可された視聴者に対してのみ、番組の視聴を可能とする仕組みが必要となる。例えば、ＢＳデジタル放送を受信する場合には、受信装置毎にＢ−ＣＡＳ（ＢＳ  Ｃｏｎｄｉｔｉｏｎａｌ  Ａｃｃｅｓｓ  Ｓｙｓｔｅｍ）カードというＩＣカードが必要とされ、暗号化された（＝スクランブルのかけられた）放送信号を復号化（＝デスクランブル）するためには、この放送局（＝番組提供者）側と契約し、復号化するための情報を記憶したＢ−ＣＡＳカードが不可欠である。
【０００３】
有料放送を行う放送システムに関しては、種々の装置、方法等が提案されている。例えば、内部にＢ−ＣＡＳカード機能及びＳ−ＣＡＳカード機能を備えたＩＣカードが挿入さデジタル放送を受信した時には限定受信放送用ＩＣカード内部のＢ−ＣＡＳカード機能を、サーバ型放送受信した時には限定受信放送用ＩＣカード内部のＳ−ＣＡＳカード機能を用いて視聴者認証を受け、コンテンツ信号の復号化を行う受信装置が開示されている（特許文献１参照）。この受信装置によれば、暗号化されたデジタル放送及びサーバ型放送の双方を受信することができる。
【特許文献１】特開２００７−１３６８５号公報
【発明の開示】
【発明が解決しようとする課題】
【０００４】
一方、北米ではケーブルテレビのデジタル化に伴い、オープンケーブル放送を開始している。そして、有料放送に対応できるように、復号化処理を行うケーブルカード（＝Ｃａｂｌｅ  Ｃａｒｄ）というＣＰＵ（Ｃｅｎｔｒａｌ  Ｐｒｏｃｅｓｓｉｎｇ  Ｕｎｉｔ）が搭載されたＩＣカードを装着可能とされている。また、ケーブルカード内に搭載されたＣＰＵは、ケーブルを介してファームウェアを受信し、更新する機能を有している。
【０００５】
なお、ファームウェアを更新する場合に、ケーブルカードに配設されたＣＰＵと、受信装置に配設されたＣＰＵとの間で通信が行われるが、その規格は、ＡＮＳＩ（Ｔｈｅ  Ａｍｅｒｉｃａｎ  Ｎａｔｉｏｎａｌ  Ｓｔａｎｄａｒｄｓ  Ｉｎｓｔｉｔｕｔｅ）／ＳＣＴＥ２８に規定されている。
【０００６】
また、このシステムでは、ケーブルカード内のファームウェアの更新が容易に行われるため、利便性を向上することができる。しかしながら、ケーブルカード内に搭載されたＣＰＵが、ケーブルを介してファームウェアを受信している間は、放送を受信する機能がファームウェアを受信するために使用されるため、ユーザはテレビジョンの視聴をすることができず、ユーザの利便性が損なわれるという課題があった。
【０００７】
本発明は、上記課題に鑑みてなされたものであって、利便性良好にソフトウェア情報を更新することの可能なデジタル放送受信装置を提供することを目的としている。
【課題を解決するための手段】
【０００８】
上記目的を達成するために請求項１に記載のデジタル放送受信装置は、デジタル放送を受信し、外部から視認可能にモニタに出力可能に構成されると共に、デジタル放送を介してファームウェア情報を受信してインストール可能に構成されたデジタル放送受信装置であって、１のデジタル放送を受信する第１受信手段と、ファームウェアを更新する旨の指示情報である更新指示信号を受信する第２受信手段と、前記第１受信手段によって受信された１のデジタル放送に対応する映像をモニタに表示する処理である映像表示処理を行う表示制御手段と、暗号化されたデジタル放送を復号化するファームウェア情報を格納する復号化情報記憶手段と、前記第１受信手段によって暗号化されたデジタル放送が受信された場合に、前記復号化情報記憶手段に格納されたファームウェアを介して、受信された暗号化されたデジタル放送を復号化する復号化手段と、前記第２受信手段によって更新指示信号が受信された場合に、外部からの操作入力を受け付け、受け付けられた操作入力に基づいて、ファームウェア情報を受信してインストールするか否かの判定を行う第１判定手段と、前記第１判定手段によってインストールしないと判定された場合に、前記表示制御手段によって前記映像表示処理が行われているか否かを判定する第２判定手段と、前記第１判定手段によってインストールすると判定された場合に、前記表示制御手段に対して映像表示処理を停止させ、前記第１受信手段を介してファームウェア情報を取得して、取得されたファームウェア情報をインストールすると共に、前記第２判定手段によって映像表示処理が行われていないと判定された場合に、前記第１受信手段を介してファームウェア情報を取得して、取得されたファームウェア情報をインストールする更新実行手段と、ＩＣカードが着脱自在に構成され、装着されたＩＣカードとの通信を行う通信手段と、を備え、前記更新実行手段、復号化情報記憶手段及び復号化手段が、前記通信手段に装着されたＩＣカード内に形成され、前記第１受信手段及び第２受信手段が、ケーブルを介して情報を受信し、前記第２受信手段が、放送信号の周波数帯域とは異なる予め設定された特定の周波数帯域を介して、更新指示信号を受信し、前記表示制御手段が、前記第１受信手段によって暗号化されたデジタル放送が受信された場合に、前記復号化手段によって復号化されたデジタル放送に対応する映像をモニタに表示すると共に、前記第２受信手段によって更新指示信号が受信された場合に、ファームウェア情報を受信してインストールするか否かの操作入力を促すガイダンス情報をモニタに表示し、前記第１判定手段が、外部からの操作入力を受け付け、受け付けられた操作入力に基づいて判定を行うことを特徴としている。
【０００９】
請求項２に記載のデジタル放送受信装置は、デジタル放送を受信し、外部から視認可能にモニタに出力可能に構成されると共に、デジタル放送を介してソフトウェア情報を受信してインストール可能に構成されたデジタル放送受信装置であって、１のデジタル放送を受信する第１受信手段と、ソフトウェアを更新する旨の指示情報である更新指示信号を受信する第２受信手段と、前記第１受信手段によって受信された１のデジタル放送に対応する映像をモニタに表示する処理である映像表示処理を行う表示制御手段と、前記第２受信手段によって更新指示信号が受信された場合に、ソフトウェア情報を受信してインストールするか否かの判定を行う第１判定手段と、前記第１判定手段によってインストールすると判定された場合に、前記表示制御手段に対して映像表示処理を停止させると共に、前記第１受信手段を介してソフトウェア情報を取得して、取得されたソフトウェア情報をインストールする更新実行手段と、を備えることを特徴としている。
【００１０】
請求項３に記載のデジタル放送受信装置は、請求項２に記載のデジタル放送受信装置であって、前記表示制御手段が、前記第２受信手段によって更新指示信号が受信された場合に、ソフトウェア情報を受信してインストールするか否かの操作入力を促すガイダンス情報をモニタに表示し、前記第１判定手段は、外部からの操作入力を受け付け、受け付けられた操作入力に基づいて判定を行うことを特徴としている。
【００１１】
請求項４に記載のデジタル放送受信装置は、請求項２又は請求項３に記載のデジタル放送受信装置であって、前記第１判定手段によってインストールしないと判定された場合に、前記表示制御手段によって前記映像表示処理が行われているか否かを判定する第２判定手段を備え、前記更新実行手段が、前記第２判定手段によって映像表示処理が行われていないと判定された場合に、前記第１受信手段を介してソフトウェア情報を取得して、取得されたソフトウェア情報をインストールすることを特徴としている。
【００１２】
請求項５に記載のデジタル放送受信装置は、請求項２〜請求項４のいずれかに記載の放送受信装置であって、暗号化されたデジタル放送を復号化するファームウェア情報を格納する復号化情報記憶手段と、前記第１受信手段によって暗号化されたデジタル放送が受信された場合に、前記復号化情報記憶手段に格納されたファームウェアを介して、受信された暗号化されたデジタル放送を復号化する復号化手段と、を備え、前記表示制御手段が、前記第１受信手段によって暗号化されたデジタル放送が受信された場合に、前記復号化手段によって復号化されたデジタル放送に対応する映像をモニタに表示し、前記ソフトウェア情報は、前記復号化情報記憶手段に格納されたファームウェア情報であることを特徴としている。
【００１３】
請求項６に記載のデジタル放送受信装置は、請求項５に記載の放送受信装置であって、ＩＣカードが着脱自在に構成され、装着されたＩＣカードとの通信を行う通信手段を備え、前記更新実行手段、復号化情報記憶手段及び復号化手段が、前記通信手段に装着されたＩＣカード内に形成されていることを特徴としている。
【００１４】
請求項７に記載のデジタル放送受信装置は、請求項２〜請求項６のいずれかに記載の放送受信装置であって、前記第１受信手段及び第２受信手段は、ケーブルを介して情報を受信し、前記第２受信手段が、放送信号の周波数帯域とは異なる予め設定された特定の周波数帯域を介して、更新指示信号を受信することを特徴としている。
【発明の効果】
【００１５】
請求項１に記載のデジタル放送受信装置によれば、第１受信手段によって、１のデジタル放送が受信され、受信された１のデジタル放送に対応する映像がモニタに表示する処理である映像表示処理が行われる。そして、第２受信手段によってファームウェアを更新する旨の指示情報である更新指示信号が受信された場合に、ファームウェア情報を受信してインストールするか否かの判定が行われ、インストールすると判定された場合に、映像表示処理が停止されると共に、第１受信手段を介してファームウェア情報が取得されて、取得されたファームウェア情報がインストールされるため、利便性良好にファームウェア情報を更新することができる。
【００１６】
すなわち、ファームウェア情報を受信してインストールするか否かの判定が行われ、インストールすると判定された場合に、映像表示処理が停止されると共に、第１受信手段を介してファームウェア情報が取得されて、取得されたファームウェア情報がインストールされるため、例えば、ユーザがファームウェア情報の更新を所望する場合にファームウェア情報を受信してインストールすると判定することによって、ユーザがファームウェア情報の更新を所望する場合にファームウェア情報が更新されるので、利便性良好にファームウェア情報を更新することができるのである。
【００１７】
また、第２受信手段によって更新指示信号が受信された場合に、ファームウェア情報を受信してインストールするか否かの操作入力を促すガイダンス情報がモニタに表示され、外部からの操作入力が受け付けられて、受け付けられた操作入力に基づいてファームウェア情報を受信してインストールするか否かの判定が行われるため、更に利便性良好にファームウェア情報を更新することができる。
【００１８】
すなわち、ユーザからの操作入力に基づいてファームウェア情報を受信してインストールするか否かの判定が行われるため、ユーザがファームウェア情報の更新を所望する旨の操作入力を行った場合にファームウェア情報が更新されるので、更に利便性良好にファームウェア情報を更新することができるのである。
【００１９】
更に、インストールしないと判定された場合に、第１受信手段によって受信された１のデジタル放送に対応する映像をモニタに表示する処理である映像表示処理が行われているか否かが判定され、映像表示処理が行われていないと判定された場合に、第１受信手段を介してファームウェア情報が取得されて、取得されたファームウェア情報がインストールされるため、更に利便性良好にファームウェア情報を更新することができる。
【００２０】
すなわち、一旦インストールしないと判定された場合には、ファームウェアを更新する旨の指示情報である更新指示信号が受信された場合であっても、映像表示処理が強制的に停止されることがないため、ユーザは第１受信手段によって受信された１のデジタル放送の視聴を継続することが可能となるので、更に利便性良好にファームウェア情報を更新することができるのである。また、一旦インストールしないと判定された場合には、第１受信手段によって受信された１のデジタル放送に対応する映像をモニタに表示する処理である映像表示処理が行われていないと判定された場合に、第１受信手段を介してファームウェア情報が取得されて、取得されたファームウェア情報がインストールされるため、適正なタイミング（＝映像表示処理が行われていないタイミング）でファームウェア情報が更新されるので、更に利便性良好にファームウェア情報を更新することができるのである。
【００２１】
加えて、復号化情報記憶手段に、暗号化されたデジタル放送を復号化するファームウェア情報が格納されており、第１受信手段によって暗号化されたデジタル放送が受信された場合に、復号化手段によって、復号化情報記憶手段に格納されたファームウェアを介して、受信された暗号化されたデジタル放送が復号化され、復号化されたデジタル放送に対応する映像がモニタに表示されるため、暗号化されたデジタル放送を復号化して視聴することができるので、利便性を向上することができる。
【００２２】
また、更新実行手段、復号化情報記憶手段及び復号化手段が形成されたＩＣカードとの通信が行われ、ＩＣカードが着脱自在に構成されているため、利便性を更に向上することができる。
【００２３】
すなわち、復号化処理に関する機能を搭載するＩＣカードが着脱自在に構成されているため、例えば、新たなＩＣカードを装着するべくユーザに通知することによって、放送局（＝番組提供者）側が復号化処理に関する機能を改変等することができるので、利便性を更に向上することができるのである。
【００２４】
更に、第１受信手段及び第２受信手段によって、ケーブルを介して情報が受信され、第２受信手段によって、放送信号の周波数帯域とは異なる予め設定された特定の周波数帯域を介して、更新指示信号が受信されるため、更新指示信号を確実に受信することができる。
【００２５】
すなわち、放送信号の周波数帯域とは異なる予め設定された特定の周波数帯域（例えば、ＵＨＦ（＝Ｕｌｔｒａ  Ｈｉｇｈ  Ｆｒｅｑｕｅｎｃｙ）の周波数帯域と、ＶＨＦ（＝Ｖｅｒｙ  Ｈｉｇｈ  Ｆｒｅｑｕｅｎｃｙ）の周波数帯域と、の間の周波数帯域）を介して、更新指示信号が受信されるため、帯域フィルタ等を介して放送波の周波数帯域と確実に分離することができるので、更新指示信号を確実に受信することができるのである。
【００２６】
請求項２に記載のデジタル放送受信装置によれば、第１受信手段によって、１のデジタル放送が受信され、受信された１のデジタル放送に対応する映像がモニタに表示する処理である映像表示処理が行われる。そして、第２受信手段によってソフトウェアを更新する旨の指示情報である更新指示信号が受信された場合に、ソフトウェア情報を受信してインストールするか否かの判定が行われ、インストールすると判定された場合に、映像表示処理が停止されると共に、第１受信手段を介してソフトウェア情報が取得されて、取得されたソフトウェア情報がインストールされるため、利便性良好にソフトウェア情報を更新することができる。
【００２７】
すなわち、ソフトウェア情報を受信してインストールするか否かの判定が行われ、インストールすると判定された場合に、映像表示処理が停止されると共に、第１受信手段を介してソフトウェア情報が取得されて、取得されたソフトウェア情報がインストールされるため、例えば、ユーザがソフトウェア情報の更新を所望する場合にソフトウェア情報を受信してインストールすると判定することによって、ユーザがソフトウェア情報の更新を所望する場合にソフトウェア情報が更新されるので、利便性良好にソフトウェア情報を更新することができるのである。
【００２８】
請求項３に記載のデジタル放送受信装置によれば、第２受信手段によって更新指示信号が受信された場合に、ソフトウェア情報を受信してインストールするか否かの操作入力を促すガイダンス情報がモニタに表示され、外部からの操作入力が受け付けられて、受け付けられた操作入力に基づいてソフトウェア情報を受信してインストールするか否かの判定が行われるため、更に利便性良好にソフトウェア情報を更新することができる。
【００２９】
すなわち、ユーザからの操作入力に基づいてソフトウェア情報を受信してインストールするか否かの判定が行われるため、ユーザがソフトウェア情報の更新を所望する旨の操作入力を行った場合にソフトウェア情報が更新されるので、更に利便性良好にソフトウェア情報を更新することができるのである。
【００３０】
請求項４に記載のデジタル放送受信装置によれば、インストールしないと判定された場合に、第１受信手段によって受信された１のデジタル放送に対応する映像をモニタに表示する処理である映像表示処理が行われているか否かが判定され、映像表示処理が行われていないと判定された場合に、第１受信手段を介してソフトウェア情報が取得されて、取得されたソフトウェア情報がインストールされるため、更に利便性良好にソフトウェア情報を更新することができる。
【００３１】
すなわち、一旦インストールしないと判定された場合には、ソフトウェアを更新する旨の指示情報である更新指示信号が受信された場合であっても、映像表示処理が強制的に停止されることがないため、ユーザは第１受信手段によって受信された１のデジタル放送の視聴を継続することが可能となるので、更に利便性良好にソフトウェア情報を更新することができるのである。また、一旦インストールしないと判定された場合には、第１受信手段によって受信された１のデジタル放送に対応する映像をモニタに表示する処理である映像表示処理が行われていないと判定された場合に、第１受信手段を介してソフトウェア情報が取得されて、取得されたソフトウェア情報がインストールされるため、適正なタイミング（＝映像表示処理が行われていないタイミング）でソフトウェア情報が更新されるので、更に利便性良好にソフトウェア情報を更新することができるのである。
【００３２】
請求項５に記載のデジタル放送受信装置によれば、復号化情報記憶手段に、暗号化されたデジタル放送を復号化するファームウェア情報が格納されており、第１受信手段によって暗号化されたデジタル放送が受信された場合に、復号化手段によって、復号化情報記憶手段に格納されたファームウェアを介して、受信された暗号化されたデジタル放送が復号化され、復号化されたデジタル放送に対応する映像がモニタに表示されるため、暗号化されたデジタル放送を復号化して視聴することができるので、利便性を向上することができる。
【００３３】
また、ソフトウェア情報が、復号化情報記憶手段に格納されたファームウェア情報であるため、利便性良好に復号化情報記憶手段に格納されたファームウェア情報を更新することができる。
【００３４】
請求項６に記載のデジタル放送受信装置によれば、更新実行手段、復号化情報記憶手段及び復号化手段が形成されたＩＣカードとの通信が行われ、ＩＣカードが着脱自在に構成されているため、利便性を更に向上することができる。
【００３５】
すなわち、復号化処理に関する機能を搭載するＩＣカードが着脱自在に構成されているため、例えば、新たなＩＣカードを装着するべくユーザに通知することによって、放送局（＝番組提供者）側が復号化処理に関する機能を改変等することができるので、利便性を更に向上することができるのである。
【００３６】
請求項７に記載のデジタル放送受信装置によれば、第１受信手段及び第２受信手段によって、ケーブルを介して情報が受信され、第２受信手段によって、放送信号の周波数帯域とは異なる予め設定された特定の周波数帯域を介して、更新指示信号が受信されるため、更新指示信号を確実に受信することができる。
【００３７】
すなわち、放送信号の周波数帯域とは異なる予め設定された特定の周波数帯域（例えば、ＵＨＦ（＝Ｕｌｔｒａ  Ｈｉｇｈ  Ｆｒｅｑｕｅｎｃｙ）の周波数帯域と、ＶＨＦ（＝Ｖｅｒｙ  Ｈｉｇｈ  Ｆｒｅｑｕｅｎｃｙ）の波数帯域と、の間の周波数帯域）を介して、更新指示信号が受信されるため、帯域フィルタ等を介して放送波の周波数帯域と確実に分離することができるので、更新指示信号を確実に受信することができるのである。
【発明を実施するための最良の形態】
【００３８】
以下に本発明の実施形態を、図面を参照しながら説明する。図１は、本発明に係る放送受信機１の構成の一例を示すブロック図である。放送受信機１（デジタル放送受信装置に相当する）は、ケーブルを介してアナログ放送及びテレビジョン放送を受信し、ディスプレイ１５に出力するものであって、受信部１１Ａ、制御信号受信部１１Ｂ、ＭＰＥＧ２デコード部１２、ＮＴＳＣデコーダ１３、出力部１４、ディスプレイ１５、ＣＰＵ１６、ＲＡＭ１７、及び、インターフェイス部１８Ａ、１８Ｂ、１８Ｃを備えている。また、放送受信機１は、図略のＲＯＭ（Ｒｅａｄ  Ｏｎｌｙ  Ｍｅｍｏｒｙ）を備えている。
【００３９】
ＣＰＵ（Ｃｅｎｔｒａｌ  Ｐｒｏｃｅｓｓｉｎｇ  Ｕｎｉｔ）１６は、放送受信機１全体の動作を制御するものである。また、図略のＲＯＭは、ＣＰＵ１６を動作させる制御プログラム等を格納するものである。ＲＡＭ（Ｒａｎｄｏｍ  Ａｃｃｅｓｓ  Ｍｅｍｏｒｙ）１７は、後述するキャンセルフラグ情報を含む種々の情報を一時的に格納するものである。
【００４０】
インターフェイス部１８Ａ（通信手段に相当する）は、ＩＣカード２が着脱自在に構成され、ＩＣカード２との間の通信を行うものである。インターフェイス部１８Ｂは、リモートコントローラ（以下、リモコンという）３からの赤外線信号を受け付けるものである。リモコン３（第１判定手段の一部に相当する）は、テンキー等の種々のキーを備え、チャンネル選択等の種々の操作入力を受け付けるものである。インターフェイス部１８Ｃは、ＤＶＤ（Ｄｉｇｉｔａｌ  Ｖｅｒｓａｔｉｌｅ  Ｄｉｓｋ）プレイヤ４との間で映像情報等の種々の情報を受け付けるものである。ＤＶＤプレイヤ４は、ＤＶＤに格納された映像情報を再生して出力するものである。
【００４１】
受信部１１Ａ（第１受信手段に相当する）は、ケーブルを介してテレビジョン放送を受信して復調するものである。受信部１１Ａは、チューナ部１１１、復調部１１２、及び、ＴＳデマルチプレクサ１１３を備えている。制御信号受信部１１Ｂ（第２受信手段に相当する）は、ケーブルを介してファームウェアを更新する旨の指示情報である更新指示信号を受信するものである。ここで、制御信号受信部１１Ｂは、放送信号の周波数帯域とは異なる予め設定された特定の周波数帯域（例えば、ＵＨＦの周波数帯域と、ＶＨＦの周波数帯域と、の間の周波数帯域）を介して、更新指示信号を受信するものである。
【００４２】
チューナ部１１１は、ケーブルを介してテレビジョン放送波から、予め設定されたチャンネルの放送を選局するものである。復調部１１２は、チューナ部１１１からの出力情報を復調するものである。ＴＳ（Ｔｒａｎｓｐｏｒｔ  Ｓｔｒｅａｍ）デマルチプレクサ１１３は、復調部１１２によって復調された出力情報を種別毎に分離して出力するものである。
【００４３】
ＭＰＥＧ（Ｍｏｔｉｏｎ  Ｐｉｃｔｕｒｅ  Ｅｘｐｅｒｔｓ  Ｇｒｏｕｐ）２デコード部１２は、ＴＳデマルチプレクサ１１３から出力された映像情報を圧縮前の映像情報に復号化するものである。
【００４４】
ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）デコーダ１３は、アナログ放送からＮＴＳＣ方式のテレビジョン信号を映像情報に変換するものである。
【００４５】
出力部１４は、ＭＰＥＧ２デコード部１２によって復号化された映像情報、ＮＴＳＣデコーダ１３からの映像情報、又は、ＤＶＤプレイヤ４からの映像情報をディスプレイ１５に対して出力するものである。ディスプレイ１５（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、出力部１４から出力されたテレビジョン信号に対応する映像を表示するものである。
【００４６】
ＩＣカード２は、ケーブルカードに相当し、受信部１１Ａから暗号化されたデジタル放送が受信された場合に、受信された暗号化されたデジタル放送を復号化するものであって、ＣＰＵ２１、メモリ２２、復号部２３、及び、インターフェイス部２４を備えている。
【００４７】
ＣＰＵ２１は、ＩＣカード２全体の制御を行うものである。インターフェイス部２４は、放送受信機１との間の通信を行うものである。メモリ２２は、フラッシュメモリ等の不揮発性メモリであって、復号部２３が復号化処理を実行するためのファームウェア情報を格納するものである。メモリ２２に格納されたファームウェア情報を更新する場合には、図の太線で示す経路でファームウェア情報が取得される。なお、以下に示すデータフローの制御は、図２を用いて後述する更新実行部２１１からの指示に基づいて行われる。
【００４８】
すなわち、チューナ部１１１によって、予め設定されたファームウェア情報を受信するチャンネル（＝周波数）に設定され、ファームウェア情報が受信される。そして、チューナ部１１１によって受信されたファームウェア情報が、復調部１１２によって復調される。更に、復調部１１２によって復調されたファームウェア情報が、インターフェイス部１８Ａ、インターフェイス部２４を介して、メモリ２２に格納される。
【００４９】
このように、ファームウェア情報を受信している間は、チューナ部１１１及び復調部１１２がファームウェア情報の受信に使用されているため、ユーザはテレビジョンの視聴をすることができないのである。
【００５０】
復号部２３（復号化手段に相当する）は、受信部１１Ａから暗号化されたデジタル放送が受信された場合に、インターフェイス部２４を介して復調部１１２から入力される暗号化されたデジタル放送を復号化し、復号化された映像情報を、インターフェイス部２４を介してＴＳデマルチプレクサ１１３へ出力するものである。
【００５１】
また、ここでは、ＣＰＵ２１とＣＰＵ１６との間の通信は、ＡＮＳＩ（Ｔｈｅ  Ａｍｅｒｉｃａｎ  Ｎａｔｉｏｎａｌ  Ｓｔａｎｄａｒｄｓ  Ｉｎｓｔｉｔｕｔｅ）／ＳＣＴＥ２８に規定される規格に従って行われるものである。
【００５２】
図２は、放送受信機１及びＩＣカード２における主要部の構成の一例を示すブロック図である。ＣＰＵ１６は、機能的に、第１判定部１６１、第２判定部１６２、及び、表示制御部１６３を備え、ＲＡＭ１７は、機能的に、キャンセル記憶部１７１を備えている。ここでは、ＣＰＵ１１が、図略のＲＯＭ等に予め格納された制御プログラムを読み出して実行することにより、第１判定部１６１、第２判定部１６２、表示制御部１６３等の機能部として機能すると共に、ＲＡＭ１７を、キャンセル記憶部１７１等の機能部として機能させるものである。
【００５３】
また、ＣＰＵ２１１は、機能的に、更新実行部２１１を備え、メモリ２２は、機能的に、復号化情報記憶部２２１を備えている。ここでは、ＣＰＵ２１１が、図略のＲＯＭ等に予め格納された制御プログラムを読み出して実行することにより、更新実行部２１１等の機能部として機能すると共に、メモリ２２を、復号化情報記憶部２２１等の機能部として機能させるものである。
【００５４】
第１判定部１６１（第１判定手段の一部に相当する）は、制御信号受信部１１Ｂによって更新指示信号が受信された場合に、ファームウェア情報を受信してインストールするか否かの判定を行うものである。具体的には、第１判定部１６１は、リモコン３を介して、ユーザからの操作入力を受け付け、受け付けられた操作入力に基づいて、ファームウェア情報を受信してインストールするか否かの判定を行うものである（図３（ａ）参照）。また、第１判定部１６１は、インストールしないと判定された場合に、キャンセルフラグ情報を「１」に設定し、キャンセル記憶部１７１に格納するものである。
【００５５】
第２判定部１６２（第２判定手段の一部に相当する）は、第１判定部１６１によってインストールしないと判定された場合に、表示制御部１６３によって受信部１１Ａを介して受信されたデジタル放送に対応する映像をディスプレイ１５に表示する処理である映像表示処理が行われているか否かを判定するものである。ここで、第２判定部１６２は、キャンセル記憶部１７１に格納されたキャンセルフラグ情報を読み出して、キャンセルフラグ情報が「１」に設定されている場合に、第１判定部１６１によってインストールしないと判定されたと判定するものである。また、第２判定部１６２は、映像表示処理が行われていないと判定した場合には、キャンセルフラグ情報を「０」に設定し、キャンセル記憶部１７１に格納するものである。
【００５６】
表示制御部１６３（表示制御手段に相当する）は、受信部１１Ａによって受信された１のデジタル放送に対応する映像をディスプレイ１５に表示する処理である映像表示処理を行うものである。具体的には、チューナ部１１１によってアナログ放送が受信された場合に、表示制御部１６３は、受信された信号を、ＮＴＳＣデコーダ１３を介して映像情報に変換し、出力部１４を介してディスプレイ１５に表示するものである。
【００５７】
また、チューナ部１１１によって暗号化されていないデジタル放送が受信された場合に、表示制御部１６３は、受信された信号を、復調部１１２を介して復調し、復調された出力情報からＴＳデマルチプレクサ１１３を介して映像情報を抽出し、更に、抽出された映像情報を、ＭＰＥＧ２デコード部１２を介して復号化し、復号化された映像情報を、出力部１４を介してディスプレイ１５に表示するものである。
【００５８】
更に、表示制御部１６３は、受信部１１Ａによって暗号化されたデジタル放送が受信された場合に、復号部２３によって復号化されたデジタル放送に対応する映像をディスプレイ１５に表示するものである。具体的には、チューナ部１１１によって暗号化されたデジタル放送が受信された場合に、表示制御部１６３は、受信された信号を、復調部１１２を介して復調し、復調された出力情報を、復号部２３を介して復号化（＝デスクランブル）し、復号化（＝デスクランブル）された出力情報からＴＳデマルチプレクサ１１３を介して映像情報を抽出し、更に、抽出された映像情報を、ＭＰＥＧ２デコード部１２を介して復号化し、復号化された映像情報を、出力部１４を介してディスプレイ１５に表示するものである。
【００５９】
加えて、表示制御部１６３は、図１に示すインターフェイス部１８Ｃを介してＤＶＤプレイヤ４からの映像情報が受け付けられた場合に、受け付けられた映像情報を、出力部１４を介してディスプレイ１５に表示するものである。
【００６０】
また、表示制御部１６３は、制御信号受信部１１Ｂによって更新指示信号が受信された場合に、ファームウェア情報を受信してインストールするか否かの操作入力を促すガイダンス情報（図３（ａ）に示すファームウェア更新画面）をディスプレイ１５に表示するものである。
【００６１】
更に、表示制御部１６３は、更新実行部２１１から受信部１１Ａによって受信された１のデジタル放送に対応する映像をディスプレイ１５に表示する処理である映像表示処理を停止する旨の指示情報が受け付けられた場合に、映像表示処理を停止するものである。
【００６２】
加えて、表示制御部１６３は、更新実行部２１１によってファームウェアの更新が行われる場合（＝第１判定部１６１によってインストールすると判定された場合、又は、第２判定部１６２によって映像表示処理が行われていないと判定された場合）に、ファームウェアの更新中である旨の情報（図３（ｂ）に示すファームウェア更新実行中画面）をディスプレイ１５に表示するものである。
【００６３】
キャンセル記憶部１７１（第２判定手段の一部に相当する）は、第１判定部１６１によってインストールしないと判定されたか否かを示すキャンセルフラグ情報を格納するものである。なお、キャンセルフラグ情報は、第１判定部１６１及び第２判定部１６２によって書き込まれ、第２判定部１６２に読み出される。
【００６４】
更新実行部２１１（更新実行手段に相当する）は、第１判定部１６１によってインストールすると判定された場合に、表示制御部１６３に対して映像表示処理を停止させ、受信部１１Ａを介してファームウェア情報を取得して、取得されたファームウェア情報をインストールすると共に、第２判定部１６２によって映像表示処理が行われていないと判定された場合に、受信部１１Ａを介してファームウェア情報を取得して、取得されたファームウェア情報をインストールするものである。
【００６５】
具体的には、第１判定部１６１によってインストールすると判定された場合に、更新実行部２１１は、ＣＰＵ１６に対して、チューナ部１１１を、予め設定されたファームウェア情報を受信するチャンネル（＝周波数）に設定させ、ファームウェア情報を受信させる。そして、更新実行部２１１は、ＣＰＵ１６に対して、チューナ部１１１によって受信されたファームウェア情報を、復調部１１２に対して復調させる。更に、更新実行部２１１は、図１に示すインターフェイス部１８Ａ、インターフェイス部２４を介して、復調部１１２によって復調されたファームウェア情報を取得して、復号化情報記憶部２２１に格納する。そして、更新実行部２１１は、ファームウェア情報の取得が完了した後に、ファームウェアをインストールする。
【００６６】
復号化情報記憶部２２１（復号化情報記憶手段に相当する）は、更新実行部２１１によって取得されたファームウェア情報を格納するものである。
【００６７】
図３は、表示制御部１６３によってディスプレイ１５に表示されるファームウェア更新画面及びファームウェア更新実行中画面の一例を示す画面図である。（ａ）は、ファームウェア更新画面５００の画面図であり、（ｂ）は、ファームウェア更新実行中画面５１０の画面図である。
【００６８】
ファームウェア更新画面５００には、画面略中央部に、ガイダンス表示部５０１が表示され、ガイダンス表示部５０１の下方に、ＹＥＳボタン５０２、及び、ＮＯボタン５０３が表示されている。ガイダンス表示部５０１には、「ケーブルカードのアップグレードを行いますか？」との表示がされ、ユーザに対して、アップグレードを行うか否か（＝ファームウェア情報の更新を行うか否か）の操作入力を促している。
【００６９】
ＹＥＳボタン５０２は、アップグレードを行う（＝ファームウェア情報の更新を行う）場合に選択されるボタンであって、ＮＯボタン５０３は、アップグレードを行わない（＝ファームウェア情報の更新を行わない）場合に選択されるボタンである。ユーザは、リモコン３を介して、ＹＥＳボタン５０２又はＮＯボタン５０３を選択することにより、ファームウェア情報の更新を行うか否かの選択を行うことができる。
【００７０】
ファームウェア更新実行中画面５１０には、画面略中央部に、ダウンロード時間表示部５１１が表示され、ダウンロード時間表示部５１１の下方に、ガイダンス表示部５１２が表示されている。ダウンロード時間表示部５１１には、「ダウンロード時間：１０分」と表示され、ユーザは、ファームウェア情報の更新に要する時間が１０分であることが分かる。また、ガイダンス表示部５１２には、「ケーブルカードのファームウェアをアップグレード中です。しばらくお待ち下さい。」と表示され、ファームウェアを更新中であるために、ユーザは、放送を受信して視聴することができないことが分かる。
【００７１】
図４は、放送受信機１（主にＣＰＵ１６、ＣＰＵ２１）の動作の一例を示すフローチャートである。まず、第１判定部１６１によって、制御信号受信部１１Ｂを介して更新指示信号が受信されたか否かの判定が行われる（Ｓ１０１）。更新指示信号が受信されていないと判定された場合（Ｓ１０１でＮＯ）には、処理が待機状態とされる。更新指示信号が受信されたと判定された場合（Ｓ１０１でＹＥＳ）には、表示制御部１６３によって、図３（ａ）に示すファームウェア更新画面５００がディスプレイ１５に表示される（Ｓ１０３）。
【００７２】
そして、第１判定部１６１によって、ファームウェア情報を受信してインストールするか否かの判定が行われる（Ｓ１０５）。インストールしないと判定された場合（Ｓ１０５でＮＯ）には、処理がステップＳ１１９に進められる。インストールすると判定された場合（Ｓ１０５でＹＥＳ）には、表示制御部１６３によって、ファームウェア更新画面５００が消去されると共に、図３（ｂ）に示すファームウェア更新実行中画面５１０がディスプレイ１５に表示される（Ｓ１０７）。そして、第１判定部１６１から更新実行部２１１に対して更新可能である旨の情報が送信される（Ｓ１０９）。
【００７３】
次に、更新実行部２１１によって、チューナ部１１１に設定する周波数条件が受信されたか否かの判定が行われる（Ｓ１１１）。周波数条件が受信されていないと判定された場合（Ｓ１１１でＮＯ）には、処理が待機状態とされる。周波数条件が受信されたと判定された場合（Ｓ１１１でＹＥＳ）には、更新実行部２１１によって、ＣＰＵ１６を介して、チューナ部１１１がステップＳ１１１において受信された周波数に設定され、ファームウェア情報が受信されて取得され、復号化情報記憶部２２１に格納される（Ｓ１１３）。そして、更新実行部２１１によって、ステップＳ１１３において取得されたファームウェア情報がインストールされる（Ｓ１１５）。次に、表示制御部１６３によって図３（ｂ）に示すファームウェア更新実行中画面５１０が消去され（Ｓ１１７）、処理が終了される。
【００７４】
ステップＳ１０５でＮＯの場合には、表示制御部１６３によって、ファームウェア更新画面５００が消去される（Ｓ１１９）。そして、第１判定部１６１から更新実行部２１１に対して更新不可能である旨の情報が送信される（Ｓ１２１）。次に、第１判定部１６１によって、キャンセルフラグ情報が「１」に設定され、キャンセル記憶部１７１に格納される（Ｓ１２３）。そして、更新実行部２１１等によってファームウェアの更新をリトライする処理であるリトライ処理が実行され（Ｓ１２５）、処理が終了される。
【００７５】
図５は、図４のステップ１２５において実行されるリトライ処理の一例を示す詳細フローチャートである。まず、更新実行部２１１によって、制御信号受信部１１Ｂを介して更新指示信号が受信されたか否かの判定が行われる（Ｓ２０１）。更新指示信号が受信されていないと判定された場合（Ｓ２０１でＮＯ）には、処理が待機状態とされる。更新指示信号が受信されたと判定された場合（Ｓ２０１でＹＥＳ）には、第２判定部１６２によって、映像表示処理が行われているか否か（＝ファームウェア情報を受信可能状態であるか否か）の判定が行われる（Ｓ２０３）。映像表示処理が行われている（＝受信可能状態ではない）と判定された場合（Ｓ２０３でＮＯ）には、第２判定部１６２から更新実行部２１１に対して、更新不可能である旨の情報が送信され（Ｓ２０５）、処理がステップＳ２０１に戻され、ステップ２０１以降の処理が繰り返し実行される。
【００７６】
映像表示処理が行われていない（＝受信可能状態である）と判定された場合（Ｓ２０３でＹＥＳ）には、第２判定部１６２によって、キャンセルフラグ情報が「０」に設定され、キャンセル記憶部１７１に格納される（Ｓ２０７）。そして、第２判定部１６２から更新実行部２１１に対して更新可能である旨の情報が送信される（Ｓ２０９）。
【００７７】
次いで、更新実行部２１１によって、チューナ部１１１に設定する周波数条件が受信されたか否かの判定が行われる（Ｓ２１１）。周波数条件が受信されていないと判定された場合（Ｓ２１１でＮＯ）には、処理が待機状態とされる。周波数条件が受信されたと判定された場合（Ｓ２１１でＹＥＳ）には、更新実行部２１１によって、ＣＰＵ１６を介して、チューナ部１１１がステップＳ２１１において受信された周波数に設定され、ファームウェア情報が受信されて取得され、復号化情報記憶部２２１に格納される（Ｓ２１３）。そして、更新実行部２１１によって、ステップＳ２１３において取得されたファームウェア情報がインストールされ（Ｓ２１５）、処理がリターンされる。
【００７８】
このようにして、受信部１１Ａによって、１のデジタル放送が受信され、受信された１のデジタル放送に対応する映像がディスプレイ１５に表示する処理である映像表示処理が行われる。そして、制御信号受信部１１Ｂによってファームウェアを更新する旨の指示情報である更新指示信号が受信された場合に、ファームウェア情報を受信してインストールするか否かの判定が行われ、インストールすると判定された場合に、映像表示処理が停止されると共に、受信部１１Ａを介してファームウェア情報が取得されて、取得されたファームウェア情報がインストールされるため、利便性良好にファームウェア情報を更新することができる。
【００７９】
すなわち、ファームウェア情報を受信してインストールするか否かの判定が行われ、インストールすると判定された場合に、映像表示処理が停止されると共に、受信部１１Ａを介してファームウェア情報が取得されて、取得されたファームウェア情報がインストールされるため、例えば、ユーザがファームウェア情報の更新を所望する場合にファームウェア情報を受信してインストールすると判定することによって、ユーザがファームウェア情報の更新を所望する場合にファームウェア情報が更新されるので、利便性良好にファームウェア情報を更新することができるのである。
【００８０】
また、制御信号受信部１１Ｂによって更新指示信号が受信された場合に、ファームウェア情報を受信してインストールするか否かの操作入力を促すガイダンス情報（図３（ａ）に示すファームウェア更新画面５００）がディスプレイ１５に表示され、リモコン３を介してユーザからの操作入力が受け付けられて、受け付けられた操作入力に基づいてファームウェア情報を受信してインストールするか否かの判定が行われるため、更に利便性良好にファームウェア情報を更新することができる。
【００８１】
すなわち、リモコン３を介して受け付けられたユーザからの操作入力に基づいてファームウェア情報を受信してインストールするか否かの判定が行われるため、ユーザがファームウェア情報の更新を所望する旨の操作入力を行った場合にファームウェア情報が更新されるので、更に利便性良好にファームウェア情報を更新することができるのである。
【００８２】
更に、インストールしないと判定された場合に、受信部１１Ａによって受信された１のデジタル放送に対応する映像をディスプレイ１５に表示する処理である映像表示処理が行われているか否かが判定され、映像表示処理が行われていないと判定された場合に、受信部１１Ａを介してファームウェア情報が取得されて、取得されたファームウェア情報がインストールされるため、更に利便性良好にファームウェア情報を更新することができる。
【００８３】
すなわち、一旦インストールしないと判定された場合には、ファームウェアを更新する旨の指示情報である更新指示信号が受信された場合であっても、映像表示処理が強制的に停止されることがないため、ユーザは受信部１１Ａによって受信された１のデジタル放送の視聴を継続することが可能となるので、更に利便性良好にファームウェア情報を更新することができるのである。また、一旦インストールしないと判定された場合には、受信部１１Ａによって受信された１のデジタル放送に対応する映像をディスプレイ１５に表示する処理である映像表示処理が行われていないと判定された場合に、受信部１１Ａを介してファームウェア情報が取得されて、取得されたファームウェア情報がインストールされるため、適正なタイミング（＝映像表示処理が行われていないタイミング）でファームウェア情報が更新されるので、更に利便性良好にファームウェア情報を更新することができるのである。
【００８４】
加えて、復号化情報記憶部２２１に、暗号化されたデジタル放送を復号化するファームウェア情報が格納されており、受信部１１Ａによって暗号化されたデジタル放送が受信された場合に、復号部２３によって、復号化情報記憶部２２１に格納されたファームウェアを介して、受信された暗号化されたデジタル放送が復号化され、復号化されたデジタル放送に対応する映像がディスプレイ１５に表示されるため、暗号化されたデジタル放送を復号化して視聴することができるので、利便性を向上することができる。
【００８５】
また、更新実行部２１１、復号化情報記憶部２２１及び復号部２３が形成されたＩＣカード２との通信が行われ、ＩＣカード２が着脱自在に構成されているため、利便性を更に向上することができる。
【００８６】
すなわち、復号化処理に関する機能を搭載するＩＣカード２が着脱自在に構成されているため、例えば、新たなＩＣカードを装着するべくユーザに通知することによって、放送局（＝番組提供者）側が復号化処理に関する機能を改変等することができるので、利便性を更に向上することができるのである。
【００８７】
更に、受信部１１Ａ及び制御信号受信部１１Ｂによって、ケーブルを介して情報が受信され、制御信号受信部１１Ｂによって、放送信号の周波数帯域とは異なる予め設定された特定の周波数帯域を介して、更新指示信号が受信されるため、更新指示信号を確実に受信することができる。
【００８８】
すなわち、放送信号の周波数帯域とは異なる予め設定された特定の周波数帯域（例えば、ＵＨＦの周波数帯域と、ＶＨＦの周波数帯域と、の間の周波数帯域）を介して、更新指示信号が受信されるため、帯域フィルタ等を介して放送波の周波数帯域と確実に分離することができるので、更新指示信号を確実に受信することができるのである。
【００８９】
なお、本発明は、以下の形態にも適用可能である。
（Ａ）本実施形態では、デジタル放送受信装置が、アナログ放送及びデジタル放送を受信する放送受信機１である場合について説明したが、デジタル放送受信装置がデジタル放送のみを受信する放送受信機である形態でもよい。
【００９０】
（Ｂ）本実施形態では、モニタが放送受信機１に配設されたディスプレイ１５である場合について説明したが、モニタが放送受信機１とは別の装置として構成されている形態でもよい。例えば、モニタがパーソナルコンピュータ等に配設されたモニタである形態でもよい。
【００９１】
（Ｃ）本実施形態では、ソフトウェア情報が、復号化情報記憶部２２１に格納されたファームウェア情報である場合について説明したが、その他のファームウェア情報である形態でもよいし、その他のソフトウェア情報である形態でもよい。例えば、ソフトウェア情報が、放送受信機１に配設された機器のドライバとして機能するファームウェア情報である形態でもよい。また、例えば、ソフトウェア情報が、放送受信機１で使用されるメニュー画面表示ソフト等のソフトウェア情報である形態でもよい。
【００９２】
（Ｄ）本実施形態では、ソフトウェア情報が、着脱自在に構成されたＩＣカード２に格納されている場合について説明したが、放送受信機１に配設されたＲＡＭ１７等に格納されている形態でもよい。この場合には、更新処理が簡略化される。
【図面の簡単な説明】
【００９３】
【図１】は、本発明に係る放送受信機の構成の一例を示すブロック図である。
【図２】は、放送受信機及びＩＣカードにおける主要部の構成の一例を示すブロック図である。
【図３】は、表示制御部によってディスプレイに表示されるファームウェア更新画面及びファームウェア更新実行中画面の一例を示す画面図である。
【図４】は、放送受信機（主にＣＰＵ）の動作の一例を示すフローチャートである。
【図５】は、図４のステップ１２５において実行されるリトライ処理の一例を示す詳細フローチャートである。
【符号の説明】
【００９４】
１    放送受信機（デジタル放送受信装置）
１１Ａ    受信部（第１受信手段）
１１Ｂ    制御信号受信部（第２受信手段）
１５    ディスプレイ（モニタ）
１６    ＣＰＵ
１６１    第１判定部（第１判定手段の一部）
１６２    第２判定部（第２判定手段の一部）
１６３    表示制御部（表示制御手段）
１７    ＲＡＭ
１７１    キャンセル記憶部（第２判定手段の一部）
１８Ａ    インターフェイス部（通信手段）
２    ＩＣカード
２１    ＣＰＵ
２１１    更新実行部（更新実行手段）
２２    メモリ
２２１    復号化情報記憶部（復号化情報記憶手段）
２３    復号部（復号化手段）
３    リモコン（第１判定手段の一部）
【図１】
2008199243.tif 000003
【図２】
2008199243.tif 000004
【図３】
2008199243.tif 000005
【図４】
2008199243.tif 000006
【図５】
2008199243.tif 000007